(57)【特許請求の範囲】
【請求項１】
肛門から挿入して直腸内の便を強制排出するための排便器具であって、腸内の所定の位置まで達するよう長い第１挿入棒と第２挿入棒をベース体に取り付け、第１挿入棒及び第２挿入棒のベース体より先端の部分を折曲して先端部分がそのベース体の取り付けの基端部分より偏心し基端部分と略並行となるようにし、第１挿入棒はベース体に対して回転自在となるようにし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具。
【請求項２】
肛門から挿入して直腸内の便を強制排出するための排便器具であって、腸内の所定の位置まで達するよう長い第１挿入棒と第２挿入棒をベース体に取り付け、第１挿入棒のベース体より先端の部分を折曲して先端部分がそのベース体の取り付けの基端部分より偏心し基端部分と略並行となるようにし、第１挿入棒はベース体に対して回転自在となるようにし、第２挿入棒を直線形状とし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具。
【請求項３】
肛門から挿入して直腸内の便を強制排出するための排便器具であって、腸内の所定の位置まで達するよう長い第１挿入棒と第２挿入棒をベース体に取り付け、第１挿入棒及び第２挿入棒のベース体より先端の部分を斜めに折曲して先端部分が先端に行くに従ってそのベース体の取り付けの基端部分より偏心するようにし、第１挿入棒はベース体に対して回転自在となるようにし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具。
【請求項４】
肛門から挿入して直腸内の便を強制排出するための排便器具であって、腸内の所定の位置まで達するよう長い第１挿入棒と第２挿入棒をベース体に取り付け、第１挿入棒及び第２挿入棒のベース体より先端の部分を湾曲させて先端部分がそのベース体の取り付けの基端部分より偏心するようにし、第１挿入棒はベース体に対して回転自在となるようにし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具。
【請求項５】
ベース体の先端側が、球面又は曲面である形状にした請求項１〜４いずれかに記載の排便器具。
【請求項６】
第１挿入棒と第２挿入棒を内穴に挿入できる筒体を複数設け、シートの両端を筒体にそれぞれ取り付け、筒体の内穴に棒先端を貫通させるようにして筒体を第１挿入棒と第２挿入棒にそれぞれ少なくとも一方が回転自在となるように取り付け、回転自在にした筒体にシートを巻き取るようにした請求項１〜５いずれかに記載の排便器具。
【請求項７】
第１挿入棒と第２挿入棒の先端部又は全体を覆い挿入抵抗を少なくするキャップを設けた請求項１〜６いずれかに記載の排便器具。
【発明の詳細な説明】
【０００１】
【発明の属する技術分野】
本発明は排便できない人の便を強制的に体外へ排出する技術に関する。
【０００２】
【従来の技術】
従来、直腸内から便を強制的に排出するには処置する人が便を指で掻き出していた。人の指で処置することは処置される人にとって不快であり、処置に時間を要する問題もあった。
そこで、本発明人は破砕刃によって便を徐々に破砕して排出させる排便器具を発明し、実用に供している。人の指で処置を行う方法と比較して効率良く排出できるようになったが、さらに効率良く多くの量の便を排出できる技術が求められている。
【０００３】
【発明が解決しようとする課題】
本発明が解決しようとする課題は、従来のこれらの問題点を解消し、容易な操作で多くの量の便を一度に排出できる排便器具を提出することにある。
【０００４】
【課題を解決するための手段】
かかる課題を解決した本発明の構成は、
１）  肛門から挿入して直腸内の便を強制排出するための排便器具であって、腸内の所定の位置まで達するよう長い第１挿入棒と第２挿入棒をベース体に取り付け、第１挿入棒及び第２挿入棒のベース体より先端の部分を折曲して先端部分がそのベース体の取り付けの基端部分より偏心し基端部分と略並行となるようにし、第１挿入棒はベース体に対して回転自在となるようにし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具
２）  肛門から挿入して直腸内の便を強制排出するための排便器具であって、腸内の所定の位置まで達するよう長い第１挿入棒と第２挿入棒をベース体に取り付け、第１挿入棒のベース体より先端の部分を折曲して先端部分がそのベース体の取り付けの基端部分より偏心し基端部分と略並行となるようにし、第１挿入棒はベース体に対して回転自在となるようにし、第２挿入棒を直線形状とし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具
３）  肛門から挿入して直腸内の便を強制排出するための排便器具であって、腸内の所定の位置まで達するよう長い第１挿入棒と第２挿入棒をベース体に取り付け、第１挿入棒及び第２挿入棒のベース体より先端の部分を斜めに折曲して先端部分が先端に行くに従ってそのベース体の取り付けの基端部分より偏心するようにし、第１挿入棒はベース体に対して回転自在となるようにし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具
４）  肛門から挿入して直腸内の便を強制排出するための排便器具であって、腸内の所定の位置まで達するよう長い第１挿入棒と第２挿入棒をベース体に取り付け、第１挿入棒及び第２挿入棒のベース体より先端の部分を湾曲させて先端部分がそのベース体の取り付けの基端部分より偏心するようにし、第１挿入棒はベース体に対して回転自在となるようにし、長いシートの端部を第１挿入棒と第２挿入棒に取り付け、同シートの中間を第１挿入棒又は第２挿入棒に巻きつけるか第１挿入棒と第２挿入棒の間に折りたたむようにし、腸内で第１挿入棒の基端部分を回転させシートを筒状に展開して便を包囲し体外に排出できるようにした排便器具
５）  ベース体の先端側が、球面又は曲面である形状にした前記１）〜４）いずれかに記載の排便器具
６）  第１挿入棒と第２挿入棒を内穴に挿入できる筒体を複数設け、シートの両端を筒体にそれぞれ取り付け、筒体の内穴に棒先端を貫通させるようにして筒体を第１挿入棒と第２挿入棒にそれぞれ少なくとも一方が回転自在となるように取り付け、回転自在にした筒体にシートを巻き取るようにした前記１）〜５）いずれかに記載の排便器具
７）  第１挿入棒と第２挿入棒の先端部又は全体を覆い挿入抵抗を少なくするキャップを設けた前記１）〜６）いずれかに記載の排便器具
にある。
【０００５】
【作用】
本発明では、第１挿入棒及び第２挿入棒、並びに巻き取るか又は折り込んだシートを肛門から直腸内に所定の位置まで挿入し、第１挿入棒及び第２挿入棒の少なくともいずれか一方を回転させる。第１挿入棒と第２挿入棒は所定の先端部分がその基端部分より偏心し基端部分と略並行となる折曲形状にしているので、回転によって先端部分が大きく円周を描く動きをすることによってシートを展開しつつ便をシートで包囲する。その後さらに第１挿入棒及び第２挿入棒の少なくとも一方をさらに回転させて、さらに強くシートを便に巻きつけるようにして便をシートで強く保持した状態にし、この状態で第１挿入棒及び第２挿入棒を体外に引き抜くようにして強制的に排便を行う。
第１挿入棒を折曲形状とし、第２挿入棒を直線形状としたものは、折曲形状の第１挿入棒を回転させてシートを展開させて便を包囲する。
第１挿入棒と第２挿入棒を斜めに折曲したものは、第１挿入棒の回転によって、シートをコーン状に展開して腸内でより大きく便を包囲する。
第１挿入棒と第２挿入棒を湾曲させた形状にしたものは、第１挿入棒の回転によってシートを湾曲した形状に展開して腸内でより大きく便を包囲する。
ベース体の先端側が球面又は曲面である形状にしたものは、処置を行う際に球面又は曲面にしたベース体の先端側を肛門に押し当てて腸内物や必要に応じて注入される薬液が洩れ出ないようにしながらシートで便を包囲する処置ができるようにする。
第１挿入棒と第２挿入棒に筒体を取り付けたものは、回転自在にした筒体にシートを巻き取るようにしたものは、第１挿入棒又は第２挿入棒の旋回する動きでシートが引き出されるようにする。
キャップを設けたものは、第１挿入棒及び第２挿入棒を挿入する際にスムーズに肛門より腸内に抵抗少なく挿入できるようにし人体を傷つけたり痛みを与えないようにする。
【０００６】
【発明の実施の形態】
本発明の排便器具の少なくとも第１挿入棒の回転は、ハンドル等を取り付けて手動で回転させるものや電動モーター等に接続して駆動で回転させるものがあり、必要・状況に応じて決めて用いるようにすればよい。
直腸内に挿入される第１挿入棒及び第２挿入棒の先端は、直腸の内壁を傷つけることがないように拡径して丸味をもたせた滑らかな形状にするのが望ましい。
便を包囲するシートは、下水に廃棄できるように可溶性のものを用いたり、後処理が容易な生物分解性のものを用いたり、さらに薬品類で容易に溶解して処理し易くできるものを用いるのが良い。シートの内面は包囲した便を直腸内から排出する時に滑らないように突起物を設けたり面を粗くしてもよい。
キャップは、直腸内の水分で溶けるゼラチン等の材質にして腸内で溶けるようにしてもよいし、切れ目や破れやすい部分を設けて第１挿入棒又は第２挿入棒の旋回する動きによって腸内で破れ、キャップの一部をシート又は第１挿入棒又は第２挿入棒に取り付けて排便の際に体外に取り出されるようにしてもよい。
【０００７】
【実施例】
本発明の各実施例について、図面を参照して具体的に説明する。
実施例１（図１〜図４参照）
図１〜図４に示すのは、第１挿入棒と第２挿入棒を折曲した形状にし、手動で第１挿入棒を回転させ、第１挿入棒と第２挿入棒に筒体を取り付けるようにし、第１挿入棒と第２挿入棒の先端部を覆うキャップを設けた排便器具の例である。
図１は実施例１の排便器具の斜視図である。図２は実施例１の排便器具の断面図である。図３は実施例１の排便器具の使用状態を示す説明図である。図４は実施例１の排便器具の使用状態を示す説明図である。
図中、１は排便器具、２はベース体、３は第１挿入棒、３ａは先端側部分、３ｂは基端部分、４は第２挿入棒、４ａは先端側部分、４ｂは基端部分、５は筒体、６は筒体、７は筒体の止め具、８は筒体の止め具、９はシート、１０はハンドル、１１はキャップ、Ｂは便、ｈは人体である。
実施例１の排便器具１は、円板状のベース体２に、まず第２挿入棒４を取り付ける。第２挿入棒４は基端部分４ｂをベース体２に差し込むように固定し、先端側部分４ａを基端部分４ｂに近い位置で外側に向ってＬ字に折曲し、所定の位置でさらに先方に向ってＬ字に折曲し、先端側部分４ａが基端部分４ｂから偏心した位置で基端部分４ｂと並行となるようにする。
次に、ベース体２に第１挿入棒３を取り付ける。第１挿入棒３はベース体２を貫通してベース体２の後方に後端が突出するようにし、ベース体２の貫通部分となる基端部分３ｂがベース体２に対し回転自在となるようにする。実施例１では、ベース体２と基端部分３ｂにわずかな隙間を設けることでコストを抑制して第１挿入棒３を適度に保持しながら回転自在となるようにしている。第１挿入棒３の先端側部分３ａは、図１に示すように第２挿入棒４より偏心量が大きくなるように、基端部分３ｂから偏心し、基端部分３ｂと並行となるようベース体２に近い位置の２箇所でＬ字に折曲している。
第１挿入棒３の先端側部分３ａと第２挿入棒４の先端側部分４ａは、先端位置がほぼ同じ位置となるようにし、ほぼ同じ直線部分を有するようにする。
次に第１挿入棒３の先端側部分３ａと第２挿入棒４の先端側部分４ａの外径より内穴が所定量径大である筒体５，６に、その内穴に先端側部分３ａ，４ａを挿入するようにしてそれぞれ取り付け、先端側部分３ａ，４ａの先端に筒体５，６の内穴より径大な止め具８を取り付け、さらに第２挿入棒４に取り付けた筒体６には外周から螺着して先端側部分４ａに押し当てて筒体６が先端側部分４ａに対して回転しないよう固定する止め具７を取り付ける。これによって筒体５は先端側部分３ａに対して回転自在となり、筒体６は先端側部分４ａに対して固定となる。
次に長く、巾が筒体５，６よりわずかに短いシート９の両端を筒体５，６に固着し、回転自在な筒体５でシート９を巻き取った状態にする。シート９は、人体に影響を与えず、適度な強度を有するシリコンゴム製のものにしている。
次に、第１挿入棒３の後端に手動で回転を与えるためのハンドル１０を固定する。
次に、シート９を筒体５に巻き取った状態の第１挿入棒３及び第２挿入棒４の先端部分を覆うキャップ１１を取り付ける。キャップ１１は直腸内の水分で溶けるゼラチン質の材質にしている。
【０００８】
本実施例１の排便器具１を使用するには、図３（ａ），図４（ａ）に示すように、第１挿入棒３の先端側部分３ａ及び第２挿入棒４の先端側部分４ａをキャップ１１から肛門より直腸に挿入し、自力で排出されない便Ｂと腸壁の間に位置させる。
次に、図３（ｂ），（ｃ）、図４（ｂ），（ｃ），（ｄ）に示すように、体外に位置するハンドル１０を処置する人が手で回転させると、ハンドル１０の回転で第１挿入棒３の基端部分３ｂが回転し、先端側部分３ａが旋回する動きをする。この動きに合わせて動かない筒体６に引張られることにより筒体５が回転してシート９が少しずつ引き出されて展開し、便Ｂの外側を包囲する。その後、シート９が引き出され展開された後にさらに先端側部分３ａが旋回することにより、図４（ｅ）に示すようにシート９が強く便Ｂに密着し便Ｂを強く保持するようにし、図３（ｄ）に示すように先端側部分３ａ，４ａを肛門より体外に引き抜くようにし、シートで強く保持した便Ｂを体外に排出する。
このようにすれば、コストを抑制した簡単な排便器具によって、一度に大きく便を排出することができ、処置時間も少なくすみ処置される人が楽であり、便がシートに包んだ状態で排出されるのでその後の処理が楽であり、器具の使い捨てを行ってもコストの大きな負担とならないようできる。また、便Ｂをシートで包むようにして排便した後で、筒体５，６を第１挿入棒３，第２挿入棒４から取りはずすようにして、他の部分を洗浄等して、シート９をあらかじめ取りつけた筒体５，６を再度取り付けて再利用するようにしてもよい。
【０００９】
実施例２（図５参照）
図５は実施例２の排便器具の断面図である。
図中、１３は第２挿入棒、１３ａは先端側部分、１３ｂは基端部分である。
実施例２では図５に示すように第２挿入棒１３を直線形状にしている。このように第２挿入棒１３は、直線形状でもよく、シート９での巻き取り径などから決めればよい。
【００１０】
実施例３（図６参照）
図６は実施例３の排便器具の断面図である。
図中、１５は第１挿入棒、１５ａは先端側部分、１５ｂは基端部分、１６は第２挿入棒、１６ａは先端側部分、１６ｂは基端部分である。
実施例３では、第１挿入棒１５、第２挿入棒１６を斜めに折曲してコーン状にシート９を展開する。このようにより大きく便を包囲し、さらに多くの量の便を一度に排出できるようにしてもよい。
【００１１】
実施例４（図７参照）
図７は実施例４の排便器具の断面図である。
図中、１８は第１挿入棒、１８ａは先端側部分、１８ｂは基端部分、１９は第２挿入棒、１９ａは先端側部分、１９ｂは基端部分である。
実施例４では第１挿入棒１８の先端側部分１８ａと第２挿入棒１９の先端側部分１９ａを湾曲した形状にしている。このようにしてより大きく便を包囲し、さらに多くの量の便を一度に排出できるようにしてもよい。また、図７に示すようにシートを第１挿入棒１８と第２挿入棒１９の間に折りたたむように、第１挿入棒１８の先端側部分１８ａの旋回する動きでシートが徐々に伸ばされるようにしてもよい。
【００１２】
実施例５（図８参照）
図８は実施例５の排便器具の断面図である。
図中、２０はベース体である。
実施例５ではベース体２０を球形状にし、処置する際に肛門に押し当てることができるようにしている。処置上、直腸内に薬液を注入している場合にはこのようにベース体２０を肛門に押し当てて薬液が処置中に体外に洩れ出すのを防ぐようにすれば、衛生的に処置が行える。
【００１３】
【発明の効果】
本発明によれば、容易な操作で多くの量の便を一度に排出する排便器具にできる。
第１挿入棒を折曲形状とし、第２挿入棒を直線形状としたものは、包囲する径がやや小さい場合にも対応できる。
第１挿入棒と第２挿入棒を斜めに折曲したものと、湾曲形状としたものは、さらに多くの量の便を一度に排出できる。
ベース体の先端側が球面又は曲面である形状にしたものは、衛生的に処置が行える排便器具にできる。
第１挿入棒と第２挿入棒に筒体を取り付けたものは、スムーズにかつ確実にシートが展開でき、筒体をシートとともに交換できるようにし、使い勝手をよくすることができる。
キャップを設けたものは、処置される人を楽にし、安全に処置できるようにする。
【図面の簡単な説明】
【図１】実施例１の排便器具の斜視図である。
【図２】実施例１の排便器具の断面図である。
【図３】実施例１の排便器具を使用している状態を示す説明図である。
【図４】実施例１の排便器具を使用している状態を示す説明図である。
【図５】実施例２の排便器具の断面図である。
【図６】実施例３の排便器具の断面図である。
【図７】実施例４の排便器具の断面図である。
【図８】実施例５の排便器具の断面図である。
【符号の説明】
１  排便器具
２  ベース体
３  第１挿入棒
３ａ  先端側部分
３ｂ  基端部分
４  第２挿入棒
４ａ  先端側部分
４ｂ  基端部分
５  筒体
６  筒体
７  （筒体の）止め具
８  （筒体の）止め具
９  シート
１０  ハンドル
１１  キャップ
１３  第２挿入棒
１３ａ  先端側部分
１３ｂ  基端部分
１５  第１挿入棒
１５ａ  先端側部分
１５ｂ  基端部分
１６  第２挿入棒
１６ａ  先端側部分
１６ｂ  基端部分
１８  第１挿入棒
１８ａ  先端側部分
１８ｂ  基端部分
１９  第２挿入棒
１９ａ  先端側部分
１９ｂ  基端部分
２０  ベース体
Ｂ  便
ｈ  人体
【図１】
0004587356.tif 000002
【図２】
0004587356.tif 000003
【図３】
0004587356.tif 000004
【図４】
0004587356.tif 000005
【図５】
0004587356.tif 000006
【図６】
0004587356.tif 000007
【図７】
0004587356.tif 000008
【図８】
0004587356.tif 000009